(57)【要約】課題:レッドフリー撮影と自発蛍光撮影とを同時に行うことができ、撮影時間の短縮及び被検者の負担軽減を図ることができる。【解決手段】５００ｎｍ〜６００ｎｍの波長範囲の光を透過させることができるエキサイタフィルタＦ１や、６４０ｎｍ〜７４０ｎｍの波長範囲の光を透過させることができるバリアフィルタＦ２や、光路を分割するためのダイクロイックミラー３０や、２台のカメラＣ１，Ｃ２を配置して、レッドフリー撮影と自発蛍光撮影とを同時に行うことができるようにする。これにより、２枚の眼底写真を１回で得ることができ、縮瞳が解消されるまで待つ必要も無く、撮影時間の短縮化を図ることができる。また、被検眼へ光を照射する回数も減らすことができ、その分、被検者の負担軽減を図ることができる。【選択図】図１
2016136858.tif 000002
【特許請求の範囲】
【請求項１】
被検眼の眼底に照明光を照射する照明手段と、
該照明手段により照射されて前記眼底により反射される反射光の光路（以下、“反射光路”とする）中に配置されて該反射光を２つの光路（以下、“第１光路”及び“第２光路”とする）に分割する光路分割手段と、
前記第１光路を進んできた反射光を受光できる位置に第１カメラを取り付ける第１カメラ取付部と、
前記第２光路を進んできた反射光を受光できる位置に配置される第２カメラと、
前記照明手段と前記眼底との間の光路（以下、“照明光路”とする）中の位置（以下、“第１フィルタ挿入位置”とする）に配置されると共に第１の波長範囲の光を透過させる第１フィルタ手段と、
前記第２光路を通って前記第２カメラに受光される光が前記第１の波長範囲外の波長範囲の光となるように前記第２カメラに受光される光を波長で制限する第２フィルタ手段と、
前記第１カメラのシャッタ操作と前記第２カメラのシャッタ操作とを略同時に行うシャッタ手段と、
を備えたことを特徴とする眼底撮影システム。
【請求項２】
前記第１フィルタ手段は、５００ｎｍ〜６００ｎｍの波長範囲の光を透過させることができるエキサイタフィルタであり、
前記光路分割手段は、６００ｎｍ以上の波長範囲の光を前記第２カメラに受光させると共に６００ｎｍ以下の波長範囲の光を前記第１カメラに受光させるように光路を分割するダイクロイックミラーであって前記第２フィルタ手段を兼用する、
ことを特徴とする請求項１に記載の眼底撮影システム。
【請求項３】
前記光路分割手段はダイクロイックミラー又はハーフミラーであり、
前記第１フィルタ手段は、５００ｎｍ〜６００ｎｍの波長範囲の光を透過させることができるエキサイタフィルタであり、
前記第２フィルタ手段は、前記第２光路中の位置（以下、“第２フィルタ挿入位置”とする）に配置されて６４０ｎｍ〜７４０ｎｍの波長範囲の光を透過させることができるバリアフィルタである、
ことを特徴とする請求項１に記載の眼底撮影システム。
【請求項４】
前記第２フィルタ挿入位置と前記第２光路外の位置（以下、“第２フィルタ抜去位置”とする）とに前記第２フィルタ手段を移動可能に支持する第２フィルタ移動手段と、
該第２フィルタ移動手段を駆動して前記第２フィルタ手段を前記第２フィルタ抜去位置に移動させて前記第２カメラによる眼底の観察を行うことができる観察モードと、該第２フィルタ移動手段を駆動して該第２フィルタ手段を前記第２フィルタ挿入位置に移動させて前記第２カメラによる自発蛍光撮影を行うことができる自発蛍光撮影モードとに切り換え可能な撮影モード切換手段と、
を備え、
前記第２フィルタ手段の前記第２フィルタ挿入位置への移動は、前記第２カメラのシャッタを押す直前又は押すと同時に行うように構成された、
ことを特徴とする請求項３に記載の眼底撮影システム。
【請求項５】
前記第１フィルタ挿入位置と前記照明光路外の位置（以下、“第１フィルタ抜去位置”とする）とに前記第１フィルタ手段を移動可能に支持する第１フィルタ移動手段、
を備え、
前記撮影モード切換手段は、該第１フィルタ移動手段を駆動して前記第１フィルタ手段を前記第１フィルタ抜去位置に移動させて前記第１カメラによるカラー撮影を行うことができるように構成された、
ことを特徴とする請求項４に記載の眼底撮影システム。
【請求項６】
前記第２カメラは静止画及び動画を撮影できるように構成され、
前記撮影モード切換手段により前記第１フィルタ手段が前記第１フィルタ抜去位置に移動されると共に前記第２フィルタ手段が前記第２フィルタ抜去位置に移動されている場合に、前記照明手段が前記被検眼に赤外光を照射して前記第２カメラで動画を撮影できるように構成された、
ことを特徴とする請求項５に記載の眼底撮影システム。
【請求項７】
前記第１カメラが撮影した画像データを保存する第１画像保存部と、
前記第２カメラが撮影した画像データを保存する第２画像保存部と、
各画像保存部に画像データが保存されたかどうかを撮影後に確認する画像確認部と、
該画像確認部が各画像保存部に画像データが保存されたと確認した場合に該画像データを転送する画像転送部と、
該画像転送部にて転送された画像データを保存する画像データ保存部と、
を備えたことを特徴とする請求項１に記載の眼底撮影システム。
【請求項８】
前記画像転送部は、前記第１及び第２画像保存部の画像データを転送する際、または転送完了直後に該各画像保存部の画像データを消去する、
ことを特徴とする請求項７に記載の眼底撮影システム。
【請求項９】
前記画像保存部に保存された画像データの前記画像転送部による転送作業が完了するまで、前記第１カメラ及び前記第２カメラによる次の撮影が禁止されるように構成された、
ことを特徴とする請求項７または８に記載の眼底撮影システム。
【発明の詳細な説明】
【技術分野】
【０００１】
本発明は、被検眼の眼底を複数のカメラで撮影できるように構成された眼底撮影システムに関する。
【背景技術】
【０００２】
従来、被検眼の観察及び／又は撮影を行うように構成された眼底撮影システムについては種々の構造のものが提案されており、カラー撮影や自発蛍光（ＦＡＦ）撮影やレッドフリー（ＲＦ）撮影などの眼底撮影を実現できるようにしたものが提案されている（例えば、特許文献１参照）。【０００３】
しかしながら、それらの眼底撮影の際に照射する光は被検眼の縮瞳を誘発してしまうので、該縮瞳が無くなるまで次の撮影はできず、その分、撮影に要する時間が長くなってしまうという問題があった。また、何回も眼底撮影を行う場合には、撮影の度に被検眼に光が照射されることとなり、被検者にとっては大きな負担となっていた。【０００４】
そこで、可視蛍光撮影（ＦＡ）と赤外蛍光撮影（ＩＣＧ）を１回の撮影操作で同時に撮影するようにして、これらの問題を解消するようにした技術が提案されている（例えば、特許文献１参照）。
【先行技術文献】
【特許文献】
【０００５】
【特許文献１】特開平０１−３００９２６号公報
【発明の概要】
【発明が解決しようとする課題】
【０００６】
ところで、上述の自発蛍光撮影やレッドフリー撮影は無散瞳方式で行われることが多いので、これらの撮影を連続して行う場合も同様の問題（つまり、縮瞳を引き起こすために全ての眼底写真を撮り終えるまでに時間が掛かってしまうという問題や、被検者の負担になるという問題）があった。【０００７】
本発明は、上述の問題を解消することのできる眼底撮影システムを提供することを目的とするものである。
【課題を解決するための手段】
【０００８】
請求項１に係る発明は、図１に例示するものであって、被検眼（Ｅ）の眼底に照明光（ＬＡ）を照射する照明手段（２）と、
該照明手段（２）により照射されて前記眼底により反射される反射光（ＬＢ）の光路（符号ＰＢ参照。以下、“反射光路”とする）中に配置されて該反射光（ＬＢ）を２つの光路（符号ＰＢ１，ＰＢ２参照。以下、“第１光路”及び“第２光路”とする）に分割する光路分割手段（３０）と、
前記第１光路（ＰＢ１）を進んできた反射光（ＬＢ）を受光できる位置に第１カメラ（Ｃ１）を取り付ける第１カメラ取付部（４）と、
前記第２光路（ＰＢ２）を進んできた反射光（ＬＢ）を受光できる位置に配置される第２カメラ（Ｃ２）と、
前記照明手段（２）と前記眼底との間の光路（符号ＰＡ参照。以下、“照明光路”とする）中の位置（以下、“第１フィルタ挿入位置”とする）に配置されると共に第１の波長範囲の光を透過させる第１フィルタ手段（Ｆ１）と、
前記第２光路（ＰＢ２）を通って前記第２カメラ（Ｃ２）に受光される光が前記第１の波長範囲外の波長範囲の光となるように前記第２カメラ（Ｃ２）に受光される光を波長で制限する第２フィルタ手段（Ｆ２）と、
前記第１カメラ（Ｃ１）のシャッタ操作と前記第２カメラ（Ｃ２）のシャッタ操作とを略同時に行うシャッタ手段（不図示）と、を備えたことを特徴とする眼底撮影システム（１）に関する。【０００９】
請求項２に係る発明は、請求項１に係る発明において、前記第１フィルタ手段（Ｆ１）が、５００ｎｍ〜６００ｎｍの波長範囲の光を透過させることができるエキサイタフィルタであり、
前記光路分割手段（３０）は、６００ｎｍ以上の波長範囲の光を前記第２カメラ（Ｃ２）に受光させると共に６００ｎｍ以下の波長範囲の光を前記第１カメラ（Ｃ１）に受光させるように光路を分割するダイクロイックミラーであって前記第２フィルタ手段（Ｆ２）を兼用することを特徴とする。【００１０】
請求項３に係る発明は、請求項１に係る発明において、前記光路分割手段（３０）がダイクロイックミラー又はハーフミラーであり、
前記第１フィルタ手段（Ｆ１）は、５００ｎｍ〜６００ｎｍの波長範囲の光を透過させることができるエキサイタフィルタであり、
前記第２フィルタ手段（Ｆ２）は、前記第２光路（ＰＢ２）中の位置（以下、“第２フィルタ挿入位置”とする）に配置されて６４０ｎｍ〜７４０ｎｍの波長範囲の光を透過させることができるバリアフィルタであることを特徴とする。【００１１】
請求項４に係る発明は、請求項３に係る発明において、前記第２フィルタ挿入位置と前記第２光路（ＰＢ２）外の位置（以下、“第２フィルタ抜去位置”とする）とに前記第２フィルタ手段（Ｆ２）を移動可能に支持する第２フィルタ移動手段（Ｇ２）と、
該第２フィルタ移動手段（Ｇ２）を駆動して前記第２フィルタ手段（Ｆ２）を前記第２フィルタ抜去位置に移動させて前記第２カメラ（Ｃ２）による眼底の観察を行うことができる観察モードと、該第２フィルタ移動手段（Ｇ２）を駆動して該第２フィルタ手段（Ｆ２）を前記第２フィルタ挿入位置に移動させて前記第２カメラ（Ｃ２）による自発蛍光撮影を行うことができる自発蛍光撮影モードとに切り換え可能な撮影モード切換手段（５）と、
を備え、
前記第２フィルタ手段（Ｆ２）の前記第２フィルタ挿入位置への移動は、前記第２カメラ（Ｃ２）のシャッタを押す直前又は押すと同時に行うように構成されたことを特徴とする。【００１２】
請求項５に係る発明は、請求項４に係る発明において、前記第１フィルタ挿入位置と前記照明光路（ＰＡ）外の位置（以下、“第１フィルタ抜去位置”とする）とに前記第１フィルタ手段（Ｆ１）を移動可能に支持する第１フィルタ移動手段（Ｇ１）、
を備え、
前記撮影モード切換手段（５）は、該第１フィルタ移動手段（Ｇ１）を駆動して前記第１フィルタ手段（Ｆ１）を前記第１フィルタ抜去位置に移動させて前記第１カメラ（Ｃ１）によるカラー撮影を行うことができるように構成されたことを特徴とする。【００１３】
請求項６に係る発明は、請求項５に係る発明において、前記第２カメラ（Ｃ２）は静止画及び動画を撮影できるように構成され、
前記撮影モード切換手段（５）により前記第１フィルタ手段（Ｆ１）が前記第１フィルタ抜去位置に移動されると共に前記第２フィルタ手段（Ｆ２）が前記第２フィルタ抜去位置に移動されている場合に、前記照明手段（２）が前記被検眼（Ｅ）に赤外光を照射して前記第２カメラ（Ｃ２）で動画を撮影できるように構成されたことを特徴とする。【００１４】
請求項７に係る発明は、請求項１に係る発明において、前記第１カメラ（Ｃ１）が撮影した画像データを保存する第１画像保存部（ＳＤ１）と、
前記第２カメラ（Ｃ２）が撮影した画像データを保存する第２画像保存部（ＳＤ２）と、
各画像保存部（ＳＤ１，ＳＤ２）に画像データが保存されたかどうかを撮影後に確認する画像確認部（９０）と、
該画像確認部（９０）が各画像保存部（ＳＤ１，ＳＤ２）に画像データが保存されたと確認した場合に該画像データを転送する画像転送部（９１）と、
該画像転送部（９１）にて転送された画像データを保存する画像データ保存部（９２）と、を備えたことを特徴とする。【００１５】
請求項８に係る発明は、請求項７に係る発明において、前記画像転送部（９１）が、前記第１及び第２画像保存部（ＳＤ１，ＳＤ２）の画像データを転送する際、または転送完了直後に該各画像保存部（ＳＤ１，ＳＤ２）の画像データを消去することを特徴とする。【００１６】
請求項９に係る発明は、請求項７又は８に係る発明において、前記画像保存部（ＳＤ１，ＳＤ２）に保存された画像データの前記画像転送部（９１）による転送作業が完了するまで、前記第１カメラ（Ｃ１）及び前記第２カメラ（Ｃ２）による次の撮影が禁止されるように構成されたことを特徴とする。【００１７】
なお、括弧内の番号などは、図面における対応する要素を示す便宜的なものであり、従って、本記述は図面上の記載に限定拘束されるものではない。
【発明の効果】
【００１８】
請求項１乃至６に係る発明によれば、レッドフリー撮影と自発蛍光撮影とを同時に行うことができ、撮影時間の短縮及び被検者の負担軽減を図ることができる。【００１９】
請求項７、８及び９に係る発明によれば、各画像保存部に画像データが保存されたかどうかを前記画像確認部はほぼ同じタイミングで確認し、その後速やかに保存された画像を転送するようになっていて、また画像の転送が完了するまで次の撮影動作を禁止するので、画像の取り違いをしてしまう（例えば、異なる被検眼の画像を間違って転送してしまう等）というおそれを回避できる。さらに、請求項９の発明によると、画像データの転送が完了するまで、次の撮影が禁止されるので、画像保存部内で、先に撮影した画像と取り違えるエラーを防止することができる。
【図面の簡単な説明】
【００２０】
【図１】図１は、本発明に係る眼底撮影システムの構成の一例を示すブロック図である。
【図２】図２は、第１フィルタ手段及び第２フィルタ手段等の光学特性の一例を示す光学特性図である。
【発明を実施するための形態】
【００２１】
以下、図１及び図２に沿って、本発明の実施の形態について説明する。
【００２２】
本発明に係る眼底撮影システムは、図１に符号１で例示するものであって、少なくとも以下のものを備えている。すなわち、
・  被検眼Ｅの眼底に照明光ＬＡを照射する照明手段２
・  該照明手段２により照射されて前記眼底により反射される反射光ＬＢの光路（以下、“反射光路”とする）ＰＢ中に配置されて前記反射光ＬＢを２つの光路（以下、“第１光路”及び“第２光路”とする）ＰＢ１，ＰＢ２に分割する光路分割手段３０
・  前記第１光路ＰＢ１を進んできた反射光ＬＢを受光できる位置に第１カメラＣ１を取り付ける第１カメラ取付部４
・  前記第２光路ＰＢ２を進んできた反射光ＬＢを受光できる位置に配置される第２カメラＣ２
・  前記照明手段２と前記眼底との間の光路（以下、“照明光路”とする）ＰＡ中の位置（以下、“第１フィルタ挿入位置”とする）に配置されると共に第１の波長範囲の光を透過させる第１フィルタ手段Ｆ１
・  前記第２光路ＰＢ２を通って前記第２カメラＣ２に受光される光が前記第１の波長範囲外の波長範囲（以下、“第２の波長範囲”とする）の光となるように前記第２カメラＣ２に受光される光を波長で制限する第２フィルタ手段Ｆ２
・  前記第１カメラＣ１のシャッタ操作と前記第２カメラＣ２のシャッタ操作とを略同時に行うシャッタ手段（不図示）
【００２３】
なお、本明細書では、図１に符号Ｄで示す部分（つまり、前記照明手段２や前記フィルタ手段Ｆ１，Ｆ２や前記光路分割手段３０等を含む部分）を適宜“眼底撮影装置”と称することとする。そして、本発明に係る眼底撮影システム１は、
・  該眼底撮影装置Ｄと、
・  該眼底撮影装置Ｄの前記第１カメラ取付部４に取り付けられる第１カメラＣ１と、
により構成すると良い。また、該眼底撮影装置Ｄには、画像取り込み部（例えば、キャプチャーボード）８を介してパソコンＰＣ（具体的には、デスクトップパソコンやノートパソコンやタブレットＰＣやスマートフォンなど）を有線又は無線で接続できるようにしておいて、該第１カメラＣ１や前記第２カメラＣ２が撮影した画像は該画像取り込み部８を介して該パソコンＰＣに取り込めるようにしても良い（詳細は後述する）。さらに、該パソコンＰＣにはモニターＭを接続しておいて、各カメラＣ１，Ｃ２が撮影した画像を該モニターＭに表示できるようにしても良い。
【００２４】
ところで、前記照明手段２としては、
・  ハロゲンランプ等からなる観察用の光源２０や、
・  キセノンフラッシュランプ等からなる撮影用の光源２１、
を挙げることができる。そして、それらの光源２０，２１からの光が照射される側（つまり、照明光路ＰＡの下流側）にはリングスリット６０や前記第１フィルタ手段Ｆ１や照明光学系６１，６３やリングスリット６２や穴あきミラー６４を配置し、被検眼Ｅに対峙する位置には対物レンズ６５を配置すると良い。また、該穴あきミラー６４の孔部には撮影絞り６６を配置し、該撮影絞り６６の下流側には、前記反射光路ＰＢ上の位置を移動することによりピントを調整するフォーカスレンズ７０やハーフミラー７１や内部固視灯７２などを配置すると良い。
【００２５】
また一方、上述した第１カメラＣ１としては、カラー撮影用の市販のカメラ（好ましくは、カラー撮影が可能なデジタルカメラ）を挙げることができ、前記第２カメラＣ２としては、自発蛍光撮影や赤外光による観察及び撮影もできる白黒カメラを挙げることができ、静止画だけでなく動画も撮影できるように構成されていると良い。また、この第２カメラＣ２は、前記第１カメラＣ１と同様に前記眼底撮影装置Ｄに対して着脱できるようにしておいても良い。
【００２６】
さらに一方、前記第１フィルタ手段Ｆ１としては、前記第１の波長範囲が５００ｎｍ〜６００ｎｍの波長範囲であるエキサイタフィルタ（つまり、５００ｎｍ〜６００ｎｍの波長範囲の光を透過させることができるエキサイタフィルタ）を挙げることができる（図２の符号Ｈ２参照）。
【００２７】
一方、前記光路分割手段３０としては、ダイクロイックミラーやハーフミラーを挙げることができる。この内、ダイクロイックミラーとしては、図２に符号Ｈ１で例示するように、４５０ｎｍ〜６５０ｎｍの波長範囲での光の反射率が９８％以上で、８００ｎｍ〜９５０ｎｍの波長範囲での光の透過率が９０％のものを挙げることができる。
【００２８】
また、前記第２フィルタ手段Ｆ２としては、６００ｎｍ以上の波長範囲の光を前記第２カメラＣ２に受光させることができるものを挙げることができる。例えば、前記光路分割手段３０として、所定の特性（つまり、６００ｎｍ以上の波長範囲の光を前記第２カメラＣ２に受光させると共に６００ｎｍ以下の波長範囲の光を前記第１カメラＣ１に受光させるように光路を分割するような特性）を持つダイクロイックミラーを用いた場合には、該光路分割手段３０に前記第２フィルタ手段を兼用させることもできる。そのような兼用をさせない場合は、前記第２フィルタ手段Ｆ２として、６４０ｎｍ〜７４０ｎｍの波長範囲の光を透過させることができるバリアフィルタを用いることができ、該第２フィルタ手段Ｆ２は前記第２光路ＰＢ２中の位置（以下、“第２フィルタ挿入位置”とする）に配置すると良い。
【００２９】
本発明によれば、レッドフリー撮影と自発蛍光撮影とを同時に行うことができ、撮影時間の短縮及び被検者の負担軽減を図ることができる。なお本明細書で「同時」というのは実質的な同時であればよく、例えば、「同時に撮影する」というのは１回のシャッタ操作で、１回のキセノンフラッシュランプの発光で撮影ができるという意味であるので、装置のシーケンスの都合や、信号伝送の都合等で、１秒に満たないようなわずかな時間、動作のタイミングずれることは、この同時の概念から外れるものではない。
【００３０】
なお、前記第２フィルタ手段Ｆ２を前記光路分割手段３０とは別に配置する場合には、前記第２フィルタ挿入位置と前記第２光路外の位置（以下、“第２フィルタ抜去位置”とする）とに前記第２フィルタ手段Ｆ２を移動可能に支持する第２フィルタ移動手段Ｇ２を設けると共に、
・  該第２フィルタ移動手段Ｇ２を駆動して前記第２フィルタ手段Ｆ２を前記第２フィルタ抜去位置に移動させて前記第２カメラＣ２による眼底の観察を行うことができる観察モードと、
・  該第２フィルタ移動手段Ｇ２を駆動して該第２フィルタ手段Ｆ２を前記第２フィルタ挿入位置に移動させて前記第２カメラＣ２による自発蛍光撮影を行うことができる自発蛍光撮影モード、
とに切り換え可能な撮影モード切換手段５を設けておいて、前記観察モード及び前記自発蛍光撮影モードを適宜切り換えられるようにしても良い。なお、前記第２フィルタ手段Ｆ２の前記第２フィルタ挿入位置への移動は、前記第２カメラＣ２のシャッタを押す直前又は押すと同時に行うように構成されていると良い。なお、前記第２フィルタ移動手段Ｇ２としては、駆動モータや種々のアクチュエータを挙げることができる。
【００３１】
ところで、上述した撮影モード切換手段５は、
・  オペレータが操作する操作部５１と、
・  該操作部５１からの信号を前記フィルタ移動手段Ｇ２に送って駆動を制御する駆動制御部５２と、
によって構成すると良い。なお、前記パソコンＰＣに専用のアプリケーションソフトをインストールしておいて該パソコンＰＣを前記駆動制御部５２として機能させると共に、パソコンＰＣに接続されたキーボードやマウスなどを前記操作部５１として機能させるようにしても良い。また、前記眼底撮影装置Ｄの側にスイッチやボタンやタッチパネル等を配置して前記撮影モード切換手段の操作部とし、該眼底撮影装置Ｄの側に専用の回路基板を設けて該撮影モード切換手段の駆動制御部としても良い。その他の操作（つまり、眼底画像を撮影するときに必要な種々の操作）についても同様であって、該操作に必要な操作部や制御部はパソコンＰＣの側に設けるようにしても、或いは、前記眼底撮影装置Ｄの側に設けるようにしても、どちらでも良い。
【００３２】
なお、上述したレッドフリー撮影や自発蛍光撮影は、同時に行うだけでなく、レッドフリー撮影のみ、或いは自発蛍光撮影のみをそれぞれ単独で行うようにしても良い。
【００３３】
また、本発明に係る眼底撮影システム１は、前記自発蛍光撮影及び前記レッドフリー撮影以外にカラー撮影できるようにしておくと良い。そのためには、前記第１フィルタ挿入位置と前記照明光路外の位置（以下、“第１フィルタ抜去位置”とする）とに前記第１フィルタ手段Ｆ１を移動可能に支持する第１フィルタ移動手段Ｇ１を設けておいて、前記撮影モード切換手段５は、該第１フィルタ移動手段Ｇ１を駆動して前記第１フィルタ手段Ｆ１を前記第１フィルタ抜去位置に移動させて前記第１カメラＣ１によるカラー撮影を行うことができるように構成しておくと良い。さらに、前記第２カメラＣ２は、静止画だけでなく動画も撮影できるようにしておいて、前記撮影モード切換手段５により前記第１フィルタ手段Ｆ１が前記第１フィルタ抜去位置に移動されると共に前記第２フィルタ手段Ｆ２が前記第２フィルタ抜去位置に移動されている場合に、前記照明手段２が前記被検眼Ｅに赤外光を照射して前記第２カメラＣ２で動画を撮影できるように構成すると良い。このようにした場合、カラー撮影とレッドフリー撮影とは前記第１カメラＣ１によって行うことができ、該カラー撮影前や該レッドフリー撮影前のアライメント時の動画撮影や自発蛍光撮影は前記第２カメラＣ２によって行うことができる。なお、前記第１フィルタ移動手段Ｇ１としては、駆動モータや種々のアクチュエータを挙げることができる。もちろん、どのカメラにどういう機能を持たせるかは任意の設計事項であるので、例えばカラー撮影とレッドフリー撮影を別のカメラにして、３台のカメラを使う構成にしてもよいし、レッドフリー撮影を行うカメラだけ別にして、残りを同じカメラにする、という構成にしても何ら差し支えはない。
【００３４】
一方、
・  前記第１カメラＣ１が撮影した画像データを保存する第１画像保存部ＳＤ１と、
・  前記第２カメラＣ２が撮影した画像データを保存する第２画像保存部ＳＤ２と、
・  各画像保存部ＳＤ１，ＳＤ２に画像データが保存されたかどうかを撮影後に確認する画像確認部９０と、
・  該画像確認部９０が各画像保存部ＳＤ１，ＳＤ２に画像データが保存されたと確認した場合に該画像データを転送する画像転送部９１と、
・  該画像転送部９１にて転送された画像データを保存する画像データ保存部９２と、
を備えるようにすると良い。この場合、前記画像転送部９１は、前記第１及び第２画像保存部ＳＤ１，ＳＤ２の画像データを転送する際に該各画像保存部ＳＤ１，ＳＤ２の画像データを消去するようにすると良い。あるいは転送完了を検知し、その検知後、画像データを消去する命令信号を画像保存部ＳＤ１，ＳＤ２や前記第１及び第２カメラＣ１，Ｃ２に出すようにし、各画像保存部ＳＤ１，ＳＤ２における画像データの消去を、該画像データの転送完了後（例えば、転送完了直後）に行うようにしてもよい。ここで、前記第１画像保存部ＳＤ１及び前記第２画像保存部ＳＤ２としては、
・  各カメラＣ１，Ｃ２に内蔵されているメモリーや、
・  各カメラＣ１，Ｃ２に着脱できるように構成された記録メディア（例えば、ＳＤカードやＵＳＢメモリーやコンパクトフラッシュ（登録商標）カードなど）
を挙げることができ、前記画像データ保存部９２としては、前記眼底撮影装置Ｄ又は前記パソコンＰＣに接続又は内蔵されたＨＤＤやＳＳＤや記録メディア（例えば、ＳＤカードやＵＳＢメモリーやコンパクトフラッシュ（登録商標）カードなど）を挙げることができる。また、前記パソコンＰＣに専用のアプリケーションソフトをインストールしておいて該パソコンＰＣを前記画像確認部９０や前記画像転送部９１として機能させると良い。なお、画像保存部ＳＤ１，ＳＤ２に、異なる撮影の画像が同時期に数枚保存されると、画像を取り違えが起きる可能性がでてくるので、転送完了を検知するまでは、次の撮影動作を禁止する、つまりシャッタ動作を無効にするようにしておき、転送完了検知を持って、シャッタ動作を有効にするように構成するのが望ましい。つまり、前記画像保存部ＳＤ１，ＳＤ２に保存された画像データの前記画像転送部９１による転送作業が完了するまで、前記第１カメラＣ１及び前記第２カメラＣ２による次の撮影が禁止されるように構成しても良い。
【００３５】
上述の眼底撮影システム１においては、
・  前記第１カメラＣ１及び前記第２カメラＣ２の両方のカメラが画像を撮影した場合と、
・  前記第１カメラＣ１のみが画像を撮影し、前記第２カメラＣ２は画像を撮影していない場合と、
・  前記第２カメラＣ２のみが画像を撮影し、前記第１カメラＣ１は画像を撮影していない場合と、
があるが、前記画像確認部９０は同じタイミングで各画像保存部ＳＤ１，ＳＤ２に画像データが保存されたかどうかを確認するようになっているので、また、画像の転送が完了するまで次の撮影を禁止しているので、画像の取り違いをしてしまう（例えば、異なる被検眼の画像を間違って転送してしまう等）というおそれを回避できる。
【符号の説明】
【００３６】
１              眼底撮影システム
２              照明手段
４              第１カメラ取付部
５              撮影モード切換手段
３０            光路分割手段
９０            画像確認部
９１            画像転送部
９２            画像データ保存部
Ｃ１            第１カメラ
Ｃ２            第２カメラ
Ｅ              被検眼
Ｆ１            第１フィルタ手段
Ｆ２            第２フィルタ手段
Ｇ１            第１フィルタ移動手段
Ｇ２            第２フィルタ移動手段
ＬＡ            照明光
ＬＢ            反射光
ＰＡ            照明光路
ＰＢ            反射光路
ＰＢ１          第１光路
ＰＢ２          第２光路
ＳＤ１          第１画像保存部
ＳＤ２          第２画像保存部
【図１】
2016136858.tif 000003
【図２】
2016136858.tif 000004
【国際調査報告】
2016136858.tif 000005
2016136858.tif 000006
2016136858.tif 000007